(57)【要約】【目的】雑菌の繁殖を効果的に防ぐことが可能であり、しかも清潔感を保て、更には洗浄液の節約も可能であり、また、家族等の共同使用者が増加した場合にも対応可能な歯ブラシ除菌洗浄器を提供すること。【構成】  歯ブラシを保管する洗浄室と、洗浄室上部より除菌用洗浄液を散布するスプレー装置と、歯ブラシを乾燥させるための送風装置と、洗浄室、スプレー装置及び送風装置とを収納すると共に下部に洗浄液廃棄手段を備えた筐体とにより構成した。また、洗浄室を複数も設けた場合には、各洗浄室別に除菌用洗浄液を散布可能とするための切り替えバルブを設けた。更には、筐体にコネクターを設け、複数の筐体を接続可能に構成した。【選択図】        図１
2011189039.tif 000002
【特許請求の範囲】
【請求項１】
歯ブラシを保管する洗浄室（２）と、洗浄室（２）上部より除菌用洗浄液を散布するスプレー装置と、洗浄室（２）及びスプレー装置とを収納すると共に下部に洗浄液廃棄手段を備えた筐体（９）と、により成る歯ブラシ除菌洗浄器。
【請求項２】
歯ブラシを乾燥させるための送風装置を備えた請求項１記載の歯ブラシ除菌洗浄器。
【請求項３】
それぞれが隔離された洗浄室（２）を複数備えた請求項１又は請求項２に記載の歯ブラシ除菌洗浄器。
【請求項４】
筐体（９）にコネクター（１６）を設け、複数の筐体（９）を接続可能とした請求項１乃至３いずれかに記載の歯ブラシ除菌洗浄器。
【発明の詳細な説明】
【技術分野】
【０００１】
本発明は使用後の歯ブラシを、除菌・洗浄するための装置に関する。
【背景技術】
【０００２】
歯ブラシを除菌するための装置として下記に示すような特許文献が存する。
【０００３】
ケ−ス内に複数の歯ブラシを保持する洗浄室を設置すると共に、前記ホルダ−によって保持された歯ブラシのブラシ部の後側に位置させて殺菌灯を配備して成る歯ブラシ除菌装置が特許文献１に開示されている。
【０００４】
筐体内に殺菌室を形成し、この筐体内の両側に殺菌灯及び反射板を互いに向き合って設けた歯ブラシ除菌装置が特許文献２に開示されている。
【０００５】
歯ブラシを保管する歯ブラシ保管容器内に、プラズマイオンを発生するプラズマイオン発生手段を備えた除菌装置が特許文献３に開示されている。
【０００６】
液体が貯留された液槽内に電極を設け、他方で歯ブラシの先端部に電極を設け、両電極にわたり通電することで歯ブラシの先端部を殺菌および除菌するようにした除菌装置が特許文献４に開示されている。
【先行技術文献】
【特許文献】
【０００７】
【特許文献１】実開平５−３１６８５号公報
【特許文献２】登録実用新案公報第３００２３３６号
【特許文献３】特開２００４−２４２９７０号公報
【特許文献４】特開２００９−１２５１２１号公報
【発明の概要】
【発明が解決しようとする課題】
【０００８】
通常、歯ブラシは使用後洗面台等においたコップに差して保管したり、洗面台に付属する歯ブラシ立てに差して保管したりする。ところが、湿気を含んだ歯ブラシを放置すれば、雑菌が繁殖するため衛生上好ましくない。
【０００９】
また、昨今の清潔意識の高まりに伴い、家族であっても、他人の使用した歯ブラシと、自己の使用した歯ブラシを同一場所に保管することに嫌悪感を感じることもありうる。
【００１０】
そこで本発明は雑菌の繁殖を効果的に防ぐことが可能であり、しかも清潔感を保て、更には洗浄液の節約も可能であり、また、家族等の共同使用者が増加した場合にも対応可能な歯ブラシ除菌洗浄器を提供することを目的とする。
【課題を解決するための手段】
【００１１】
上記課題を解決するため、本発明にかかる歯ブラシ除菌洗浄器は、次のように構成した。
【００１２】
請求項１：歯ブラシを保管する洗浄室と、洗浄室上部より除菌用洗浄液を散布するスプレー装置と、洗浄室及びスプレー装置とを収納すると共に下部に洗浄液廃棄手段を備えた筐体とにより構成する。
【００１３】
請求項２：請求項１記載の歯ブラシ除菌洗浄器に、歯ブラシを乾燥させるための送風装置を装備せしめる。
【００１４】
請求項３：請求項１又は請求項２に記載の歯ブラシ除菌洗浄器において、それぞれが隔離された洗浄室を複数装備せしめる。
【００１５】
請求項４：請求項１乃至３いずれかに記載の歯ブラシ除菌洗浄器において、筐体にコネクターを設け、複数の筐体を接続可能に構成する。
【発明の効果】
【００１６】
請求項１記載の発明によれば、使用した歯ブラシを洗浄室に保管しておけば、除菌用洗浄液を歯ブラシにスプレー装置を用いて散布することが可能であり、雑菌の繁殖を防ぐことが可能である。また、歯ブラシのみならず洗浄室自体の除菌も可能となり、より衛生的な収納管理が可能となる。
【００１７】
請求項２記載の発明によれば、除菌用洗浄液で濡れた歯ブラシを乾燥させることが可能となり、より効果的に雑菌の繁殖を防ぐことが可能となる。
【００１８】
請求項３記載の発明によれば、歯ブラシを収納する洗浄室がそれぞれ隔離されている。すなわち、歯ブラシ１本ごとに独立した洗浄室に収納されることになる。つまりは、他人の使用した歯ブラシと自己の使用した歯ブラシを接触させることなく保管が可能となり、清潔感を高めることにつながる。このことは、現在の清潔意識の高まりの元、大きな商品訴求効果を有するものである。
【００１９】
請求項４記載の発明によれば、コネクターを介して筐体を接続可能であり、例えば家族人数が増加した場合などに増設が可能となる。
【図面の簡単な説明】
【００２０】
【図１】本発明にかかる歯ブラシ除菌洗浄器の正面図
【図２】同、平面図
【図３】同、背面図
【図４】同、斜視図
【図５】図２におけるＡ−Ａ線断面図
【図６】同、Ｂ−Ｂ線断面図
【図７】洗浄液タンクの概略を示す説明図
【図８】コネクターによる接続状態を示す説明図
【発明を実施するための形態】
【００２１】
以下、好ましい発明の一実施形態につき図面を参照しながら述べる。
【００２２】
図１に示すように、本発明にかかる歯ブラシ除菌洗浄器１（以下洗浄器と略称する）は、略直方体の筐体９の前面に扉１５及びスイッチ類１６が設けられ、側面にはコネクター１６が設けられるものである。
【００２３】
筐体９は樹脂或いはステンレス等の不錆性の素材より成る。
【００２４】
図５に示すように、筐体９の前面にはカバー１５が、ヒンジ１５ａを介して開閉自在に設けてある。カバー１５は洗浄室２の扉を兼ねており、孔部を有するホルダー１８が設けられている。このホルダー１８に歯ブラシ１７を差し込み、保持することが可能となるのである。ホルダー１８は、孔部に歯ブラシを差し込む形状でもよいし、クリップ状にして挟み込む形状でも構わない。
【００２５】
また、筐体９の上面には蓋部１９が開閉自在に設けてあり、タンク７が取り出し自在となっている。
【００２６】
洗浄器１は、筐体９内に装備されるスプレー装置により、歯ブラシ１７に除菌液を噴霧し除菌・殺菌を行うものである。ここにスプレー装置はタンク７、ポンプ１０、噴出ノズル３及びこれらを繋ぐ管体より成るものである。
【００２７】
すなわち、タンク７内に貯留された除菌液はポンプ１０を介して管体（不図示）内を移送され、洗浄室２の天井に設けられた噴出ノズル３より噴霧されるものである。かようにして洗浄室２内に装備される歯ブラシ１７が除菌・殺菌される。
【００２８】
請求項３記載の洗浄器１においては、図１に示すように、洗浄室２が複数設けてあり、カバー１５がそれぞれ別個に開閉可能となっている。この際、各洗浄室２・・はそれぞれが隔離・密閉されたものにすることが好ましい。衛生面、清潔感の向上のためである。        
【００２９】
尚、洗浄室２の個数は家族の少人数化に対応して２〜３個程度が好ましい。それ以上の歯ブラシ収納能力が必要な場合には、後述のコネクターを用いて、複数の洗浄器１を連結することで対応可能である。
【００３０】
洗浄室２を複数設けた場合、スプレー装置を構成する管路に切替バルブ１１を介在させ、除菌液を各洗浄室２・・毎に移送・噴霧可能としてある。  
【００３１】
或いは、かかる切替バルブ１１を用いずに、各洗浄室２毎にポンプ１０を装備せしめ、各室毎にスプレー装置を稼働させることも可能である。
【００３２】
筐体９の下部には洗浄液廃棄手段たる廃液受け４及び排液通路６が形成してある。すなわち、歯ブラシ１７に噴霧された除菌液は下部に流れ落ちていき、洗浄室２底面に設けた排液受け４に貯まり、排液通路６を通過して筐体９外に排出されるものである。洗浄室２を複数設ける場合には、それぞれの洗浄室２毎に排液受け４を設けるものである。
【００３３】
排液通路６にパイプ２１を接続し、洗面所の排水口に排出可能とすれば、より使い勝手に富むものとなる。
【００３４】
請求項２記載の洗浄器１には、歯ブラシを乾燥させるための送風装置が筐体９内に装備される。送風装置はモータ１２、ファン１３、ヒーター１４及び噴出し部５より成るものである。すなわちモータ１２で駆動されたファン１３により発生した風が、ヒーター１４により熱風となり、管路２２途上にある噴出し部５より洗浄室２内に送出されるものである。洗浄室２が複数ある場合には、各洗浄室２毎に噴出し部５を設ける。
【００３５】
図７は洗浄液を貯留するタンク７を示すものである。タンク７内には水道水やミネラルウォーター等を貯めておく。タンク７の開口部７ａにはキャップ２２が被せてある。          
【００３６】
キャップ２２には止液弁２３が設けてある。この止液弁２３は、図５に示すように筐体９内にタンク７を設置した状態で、洗浄液溜め８の上方に向かって突出した底部８ａが当接し、上方に押し上げられるものである。すると、キャップ２２に設けられた開口部２２ａが開放され、タンク７内の除菌液が洗浄液溜め８内に吐出貯留されるものである。一方、止液弁２３とキャップ２２との間にはスプリング２５が介在させてあり、タンク７を取り出した際には開口部２２ａは閉口され、タンク７内の除菌液は外部に漏れない構造となっている。
【００３７】
この洗浄液溜め８内に吐出貯留された洗浄液が、ポンプ１０を介して洗浄室２内の噴出ノズル３から噴霧されるのである。
【００３８】
キャップ２２には、錠剤型であり除菌・洗浄効能を有する薬剤６が固定できるクリップ部２２ａが設けてある。該クリップ部２２ａに薬剤６をセットすることで、タンク７への給水時にキャップをすると同時に薬剤投入がなされる。また、クリップ部２２ａと薬剤６の形状を対応符合したものとすることで、他の薬剤が間違って投入されることを防ぐことが可能である。
【００３９】
図８は洗浄器１を連結する状態を示すものである。筐体９の側面に設けたコネクター１６を、筐体９の他方側面に設けた凹部（不図示）に嵌め込むことで洗浄器１同士を連結するものである。
【００４０】
筐体９の前面にはスイッチ類２４が各洗浄室２毎に設けてある。このスイッチ類２４を押すことで、各洗浄室２毎に除菌液の噴霧、噴霧後の送風乾燥作用が行われるものである。
【００４１】
尚、装置の稼働は前記スイッチ類２４によらずに、カバー１５の開閉によることも可能である。例えば、カバー１５を閉じるとマグネットリードスイッチが働き、噴霧送風乾燥作用が行われるようにしてもよい。
【産業上の利用可能性】
【００４２】
本発明に係る歯ブラシ除菌洗浄器は、洗面台に組込むが可能である。通常洗面台に装備される歯ブラシ等の収納ボックスに代え、本発明に係る洗浄器を装備すれば、特別の場所を採らずに除菌洗浄器を備えた洗面台ユニットを提供することが可能となる。
【符号の説明】
【００４３】
１・・歯ブラシ除菌洗浄器
２・・洗浄室
３・・噴出ノズル
４・・廃液受け
５・・噴出し部
６・・廃液通路
７・・タンク
７ａ・・開口部
８・・洗浄液溜め
８ａ・・底部
９・・筐体
１０・・ポンプ
１１・・切替バルブ
１２・・モータ
１３・・ファン
１４・・ヒーター
１５・・扉
１６・・コネクター
１７・・歯ブラシ
１８・・ホルダー
１９・・蓋部
２０・・薬剤
２１・・パイプ
２２・・キャップ
２２ａ・・クリップ部
２３・・止液弁
２４・・スイッチ類
２５・・スプリング
【図１】
2011189039.tif 000003
【図２】
2011189039.tif 000004
【図３】
2011189039.tif 000005
【図４】
2011189039.tif 000006
【図５】
2011189039.tif 000007
【図６】
2011189039.tif 000008
【図７】
2011189039.tif 000009
【図８】
2011189039.tif 000010